(57)【要約】【課題】本体のコンパクト化を妨げることなく、フィルタに捕獲されている異物を適切に乾燥させる。【解決手段】本実施形態に係る洗濯機は、水槽と、前記水槽内に設けられている回転槽と、前記水槽内の水を前記回転槽内に送る循環水路と、前記循環水路内の水を循環させる循環ポンプと、前記循環ポンプの途中に設けられ、前記循環水路内を流れる水に含まれる異物を捕獲するフィルタと、前記水槽内の水を排出する排出水路と、前記水槽内の水の排出および前記循環ポンプの動作を制御する制御手段と、を備え、前記制御手段は、前記水槽内の水を排出した状態で前記循環ポンプを動作させる。【選択図】図１
2019134883.tif 000002
【特許請求の範囲】
【請求項１】
水槽と、
前記水槽内に設けられている回転槽と、
前記水槽内の水を前記回転槽内に送る循環水路と、
前記循環水路内の水を循環させる循環ポンプと、
前記循環ポンプの途中に設けられ、前記循環水路内を流れる水に含まれる異物を捕獲するフィルタと、
前記水槽内の水を排出する排出水路と、
前記水槽内の水の排出および前記循環ポンプの動作を制御する制御手段と、を備え、
前記制御手段は、前記水槽内の水を排出した状態で前記循環ポンプを動作させる洗濯機。
【請求項２】
前記制御手段は、前記水槽内の水を排出した状態で動作させる前記循環ポンプの回転数を、洗濯中に動作させる前記循環ポンプの回転数よりも高くする請求項１に記載の洗濯機。
【請求項３】
前記制御手段は、前記水槽内の水を排出した状態で前記循環ポンプを動作させる際に、前記回転槽も回転させる請求項１または２に記載の洗濯機。
【請求項４】
前記水槽から前記循環水路内に水が流入する流入口が前記水槽の下部に設けられていると共に、前記循環水路内から前記回転槽に水が流出する流出口が前記回転槽の前側であって開口部を臨む位置に設けられている請求項３に記載の洗濯機。
【請求項５】
加熱器と、
前記加熱器により生成された温風を前記回転槽内に送る送風ファンと、を備え、
前記制御手段は、前記水槽内の水を排出した状態で前記循環ポンプを動作させる際に、前記加熱器及び前記送風ファンも動作させる請求項１から４の何れか一項に記載の洗濯機。
【請求項６】
前記制御手段は、洗濯運転コースとは別に、前記水槽内の水を排出した状態で前記循環ポンプを動作させる専用のコースを実行可能である請求項１から５の何れか一項に記載の洗濯機。
【請求項７】
前記制御手段は、洗濯運転コースを実行する際に、前記水槽内の水を排出した状態で前記循環ポンプを動作させる行程を前記洗濯運転コース内において最後に実行する請求項１から５の何れか一項に記載の洗濯機。
【請求項８】
前記制御手段は、前記加熱器及び前記送風ファンを動作させて前記水槽及び回転槽を乾燥させる槽乾燥コースを実行する際に、前記水槽内の水を排出した状態で前記循環ポンプを動作させる請求項５に記載の洗濯機。
【請求項９】
水槽と、
前記水槽内に設けられている回転槽と、
前記水槽内の水を前記回転槽内に送る循環水路と、
前記循環水路内の水を循環させる循環ポンプと、
前記循環ポンプの途中に設けられ、前記循環水路内を流れる水に含まれる異物を捕獲するフィルタと、を備え、
前記フィルタは、洗濯運転中に前記水槽内に溜まる水の最高水位よりも高い位置に設けられている洗濯機。
【発明の詳細な説明】
【技術分野】
【０００１】
本発明の実施形態は、洗濯機に関する。
【背景技術】
【０００２】
従来、水槽内の水をドラム内に送る循環水路を備える洗濯機においては、その循環水路内を流れる水に含まれるリントや髪の毛などの異物を捕獲するフィルタが、循環水路の途中に設けられている。このような構成では、フィルタに捕獲されている異物が常に湿った状態となるので、フィルタを手入れする際に異物が絡まって取り除き難かったり、雑菌が繁殖して異臭が発生したりするなど、ユーザに不快感を与えていた。そこで、フィルタに風を送るための専用の送風機を設け、専用の送風機からフィルタに風を送り、フィルタに捕獲されている異物を乾燥させることで、フィルタを手入れする際の作業性を高める共に、雑菌の繁殖を抑えて異臭の発生を抑える構成が供されている。
【先行技術文献】
【特許文献】
【０００３】
【特許文献１】特開２０１６−５４９５号公報
【発明の概要】
【発明が解決しようとする課題】
【０００４】
しかしながら、特許文献１の構成では、本体に専用の送風機を設けるためのスペースが必要となり、本体をコンパクト化する傾向のある近年の製品では実現が難しいという問題がある。
そこで、本実施形態は、本体のコンパクト化を妨げることなく、フィルタに捕獲されている異物を適切に乾燥させることができる洗濯機を提供する。
【課題を解決するための手段】
【０００５】
本実施形態の洗濯機は、水槽と、前記水槽内に設けられている回転槽と、前記水槽内の水を前記回転槽内に送る循環水路と、前記循環水路内の水を循環させる循環ポンプと、前記循環ポンプの途中に設けられ、前記循環水路内を流れる水に含まれる異物を捕獲するフィルタと、前記水槽内の水を排出する排出水路と、前記水槽内の水の排出および前記循環ポンプの動作を制御する制御手段と、を備え、前記制御手段は、前記水槽内の水を排出した状態で前記循環ポンプを動作させる。
【図面の簡単な説明】
【０００６】
【図１】第１の実施形態に係る洗濯乾燥機の内部構成を概略的に示す縦断側面図
【図２】第１の実施形態に係る機能ブロック図
【図３】第１の実施形態に係る洗濯運転コースの行程を示す図
【図４】第２の実施形態に係る洗濯乾燥機の内部構成を概略的に示す縦断正面図
【発明を実施するための形態】
【０００７】
以下、複数の実施形態について図面を参照しながら説明する。尚、複数の実施形態で共通する部分については同一符号を付し、説明を省略する。
（１）第１の実施形態
第１の実施形態について図１から図３を参照しながら説明する。
洗濯機能及び乾燥機能を備える洗濯乾燥機１は、ドラム式の洗濯乾燥機であり、その本体を構成する外箱２が略矩形箱状をなしている。外箱２の内部には、円筒状の水槽３が後下がりに傾斜した状態で図示しない弾性支持機構を介して支持されている。水槽３の内部には、衣類（洗濯物）が収容される回転槽としての円筒状のドラム４が回転可能に支持されている。ドラム４は、前後方向に延び且つ後下がりに傾斜した傾斜軸を中心に回転するように構成されている。
【０００８】
ドラム４の前面部には、衣類が出し入れされる開口部４ａが設けられている。水槽３の前面部には、そのドラム４の開口部４ａに連なる投入口３ａが設けられている。外箱２の前面部には、その水槽３の投入口３ａを開閉する扉５が設けられている。また、ドラム４の周壁部及び後壁部には、通水及び通気用の多数の孔４ｂが形成されている。さらに、ドラム４の周壁部の内面には、洗濯物撹拌用の図示しない複数個のバッフルが設けられている。
【０００９】
外箱２の前面上部には、操作パネル６が設けられている。操作パネル６は、電源入りスイッチ７と、電源切りスイッチ８と、表示部９と、操作部１０とを備えている（いずれも図２に図示）。ユーザは、表示部９に表示される表示情報を見ながら操作部１０を操作することで、洗濯運転や乾燥運転のコースを設定することが可能である。
【００１０】
水槽３の後部には、例えばアウタロータ形のブラシレスモータからなるドラムモータ１１（図２にも図示）が配置されている。ドラムモータ１１の回転軸の先端は、水槽３の背面を貫通って水槽３の内部に突出し、ドラム４の後部中心部に連結固定されている。このような構成により、ドラム４がドラムモータ１１により直接的に回転される。
【００１１】
水槽３の下部には、排出水路１２が配置されており、排出水路１２の途中には排水弁１３（図２にも図示）が設けられている。排出水路１２は、水槽３と排水弁１３の流入側とを接続する第１水路部１４と、排水弁１３の流出側に接続する第２水路部１５とを備えている。第１水路部１４にあって水槽３の後側下部との接続部分は、水槽３内に溜められている水が排出水路１２内に流入する流入口１２ａとされている。排水弁１３が閉鎖された状態で図示しない給水装置の給水弁１６（図２に図示）が開放されて水槽３内に水が供給されると、その水は水槽３内に溜められる。そして、水槽３内に水が溜められた状態で排水弁１３が開放されると、その水槽３内に溜められていた水は、排出水路１２内を通って機外に排出される。
【００１２】
外箱２内には、ドラム４内に温風（乾燥風）を循環供給する乾燥機構１７が配置されている。乾燥機構１７は、循環風路１８と、加熱器としてのヒートポンプ１９（図２にも図示）とを備えている。循環風路１８は、排気ダクト２０と、ヒートポンプダクト２１と、給気ダクト２２とを備えている。排気ダクト２０は、その基端部が水槽３の排出口２３に接続されており、外箱２内の右側上部を後方に延びた後、折り曲がって水槽３の後方を下方に延び、その先端部がヒートポンプダクト２１の基端部（右端部）に接続されている。また、排気ダクト２０の前端側部分には、乾燥風から糸くずを捕獲するリントフィルタ２４が設けられている。
【００１３】
ヒートポンプダクト２１は、外箱２内の底部後寄り部位を左右方向に延びており、その先端側には送風ファン２５（図２に図示）が設けられている。送風ファン２５は、例えばファンケーシング内に遠心ファンとモータとを備えて構成されており、ファンケーシングの出口部に給気ダクト２２の基端部（下端部）が接続されている。給気ダクト２２は、外箱２内の水槽３の後方を上方に延びており、その先端部（上端部）が水槽３の給気口２６に接続されている。
【００１４】
ヒートポンプ１９は、蒸発器２７と、図示しない凝縮器と、圧縮機２８とが冷媒配管により閉ループ状に接続されて構成されている。ヒートポンプ１９においては、乾燥運転時に圧縮機２８が動作されると、圧縮機２８から吐出された気体冷媒が凝縮器に流入され、凝縮器において熱交換により凝縮されて液体冷媒とされる。凝縮器から流出された液体冷媒は、膨張弁において膨張されて霧状とされ、その霧状の冷媒が蒸発器２７に流入される。蒸発器２７に流入された霧状の冷媒は、蒸発器２７において外気と熱交換されて気化されて気体冷媒とされ、その気体冷媒が圧縮機２８に戻される。そして、圧縮機２８に戻された気体冷媒は、圧縮機２８により圧縮されて高温および高圧とされて吐出されるという循環が行われる。
【００１５】
ヒートポンプ１９が動作されると共に、送風ファン２５が動作されると、図１に矢印Ａで示すように、水槽３（ドラム４）内の空気が排出口２３から排気ダクト２０内を通ってヒートポンプダクト２１に供給され、ヒートポンプダクト２１内を通って蒸発器２７及び凝縮器を順に通った後に給気ダクト２２に供給され、給気口２６及び孔４ｂを通ってドラム４内に供給されるという循環が行われる。このような空気の循環により、水槽３（ドラム４）内の衣類から湿気を奪って多量の蒸気を含んだ空気がヒートポンプダクト２１内の蒸発器２７を通って冷却され、蒸気が凝縮（あるいは昇華）されて除湿され、その除湿された空気が凝縮器を通ることにより加熱されて乾いた温風となり、再びドラム４に供給され、衣類の乾燥に供される。
【００１６】
また、排気ダクト２０の途中には排気装置２９が設けられている。排気装置２９は、循環風路１８内の空気（ひいては水槽３内の空気）を、外箱２の外部に排出する排気口２９ａと、その排気口２９ａを開閉する排気ダンパ２９ｂ（図２にも図示）と、外気を取り入れるための吸気口とを備えている。排気ダンパ２９ｂは、例えばモータを動作源と、排気口２９ａの開口面積の調整も可能とされている。送風ファン２５が動作されている状態で排気ダンパ２９ｂが動作されて排気口２９ａが開放されると、循環風路１８内を流れる空気の一部が外箱２の外部に排出されると共に、吸気口から外気が循環風路１８内に取り入れられる。
【００１７】
水槽３の下部であって排出水路１２の前面側には、水槽３内の水をドラム４内に送る循環水路３０が配置されている。循環水路３０の途中にはフィルタ３１及び循環ポンプ３２が設けられている。すなわち、水槽３の下部にフィルタ３１が設けられているので、水槽３内に水が溜められた状態では、フィルタ３１が水に浸かる。
【００１８】
循環水路３０は、水槽３の後側下部とフィルタ３１の流入側とを接続する第１水路部３３と、フィルタ３１の流出側と循環ポンプ３２の流入側とを接続する第２水路部３４と、循環ポンプ３２の流出側とドラム４の前側上部とを接続する第３水路部３５とを備えている。第１水路部３３と水槽３の後側下部との接続部分は、水槽３内に溜められている水が循環水路３０内に流入する流入口３０ａとされており、第３水路部３５とドラム４の前側上部との接続部分は、循環水路３０内を流れた水がドラム４内に流出する流出口３０ｂとされている。つまり、循環水路３０の流出口３０ｂは、ドラム４の開口部４ａを臨む位置に設けられている。水槽３内に水が溜められた状態では循環水路３０内にも水が溜められており、その状態で循環ポンプ３２が動作されると、図１に矢印Ｂで示すように、循環水路３０内の水が循環され、水槽３内の水が循環される。尚、循環ポンプ３２は、循環水路３０内に水が溜められていない状態でも運転可能な構成であり、空運転可能な構成である。
【００１９】
フィルタ３１は、フィルタケース３６と、フィルタ本体３７とを備えている。フィルタケース３６及びフィルタ本体３７は、それぞれ剛性を備える材料、例えば合成樹脂材料により構成されている。フィルタケース３６は、その前面に開口部３６ａが設けられており、その開口部３６ａから一方向へ長い円筒形状、この場合、洗濯乾燥機１の前側から後側に向かって下降するように傾斜する方向へ長い円筒形状に形成されている。
【００２０】
フィルタ本体３７は、外箱２の前面下部に設けられている開閉式の蓋３８が開放された状態で、フィルタケース３６に対して抜き差しされることで着脱可能となっている。すなわち、フィルタ本体３７は、フィルタケース３６内に差し込まれることでフィルタケース３６に装着され、フィルタケース３６内から引き出されることでフィルタケース３６から取り外される。この場合、上記したようにフィルタケース３６が洗濯乾燥機１の前側から後側に向かって下降するように傾斜する方向に延びているので、ユーザは、洗濯乾燥機１の前面側からフィルタ本体３７を斜めに押し込んで装着することができ、フィルタ本体３７を洗濯乾燥機１の前面側から斜めに引き出して取り外すことができる。尚、フィルタ本体３７がフィルタケース３６に装着された状態では、フィルタ本体３７がフィルタケース３６に対して固定される。また、フィルタケース３６は、円筒形状に限らず、例えば矩形や多角形の筒状であっても良い。
【００２１】
フィルタケース３６は、その前側上部に流入口３６ｂが形成されており、その流入口３６ｂに第１水路部３３が接続されていると共に、その後側背部に流出口３６ｃが形成されており、その流出口３６ｃに第２水路部３４が接続されている。このような構成により、フィルタ本体３７がフィルタケース３６に装着された状態で、循環ポンプ３２が動作されて循環水路３０内の水が循環される際には、水槽３から第１水路部３３を通った水が流入口３６ｂからフィルタ本体３７に送られ、そのフィルタ本体３７に送られた水が流出口３６ｃから第２水路部３４に送られる。このとき、水槽３から循環水路３０に送られた水にはリントや髪の毛などの異物が含まれることがあるが、その水がフィルタ本体３７を通るに際に、その水に含まれる異物がフィルタ本体３７（フィルタ３１）で捕獲される。
【００２２】
図２は、上記した洗濯乾燥機１の洗濯乾燥機の電気的構成を概略的に示している。制御手段としての制御装置３９は、例えばマイクロコンピュータを主体に構成されており、洗濯乾燥機１の動作を制御するものであり、例えば操作パネル６の裏側に配置されている。制御装置３９は、操作パネル６の電源入りスイッチ７、電源切りスイッチ８、操作部１０から操作信号を入力すると共に、水槽３内の水温を検知する水温センサ４０、温水用ヒータ４１の表面温度を検知するヒータ温度センサ４２、水槽３内の水位を検知する水位センサ４３から検知信号を入力する。また、制御装置３９は、表示動作を指令する指令信号を表示部９に出力し、表示部９の表示を制御すると共に、各種動作を指令する指令信号を給水弁１６、排水弁１３、排気ダンパ２９ｂ、温水用ヒータ４１、ドラムモータ１１、ヒートポンプ１９、送風ファン２５、循環ポンプ３２に出力することで、それらの各部品の各種動作を制御する。
【００２３】
次に、上記した構成の洗濯乾燥機１の作用について説明する。本実施形態では、制御装置３９は、洗濯運転を行う洗濯運転コースや乾燥運転を行う乾燥運転コースを設定可能であることに加え、フィルタ３１に捕獲されている異物を乾燥させるフィルタ乾燥運転を行うフィルタ乾燥コースを設定可能となっている。ユーザは、フィルタ乾燥コースを実行させたい場合には、操作パネル６の操作部１０を操作してフィルタ乾燥コースを設定して開始操作を行う。制御装置３９は、フィルタ乾燥運転を開始すると、開放指令信号を排水弁１３に出力し、排水弁１３を開放させる。このとき、水槽３内に水が溜まっていれば、その水槽３内に溜まっている水は機外に排出される。
【００２４】
制御装置３９は、水槽３内に水が溜まっていない状態を検知すると、動作開始指令信号を循環ポンプ３２に出力し、循環ポンプ３２の動作を開始させる。このとき、制御装置３９は、フィルタ乾燥行程での循環ポンプ３２の回転数を、洗い行程での循環ポンプ３２の回転数よりも高く設定する。制御装置３９は、例えば洗い行程での循環ポンプ３２の回転数を、循環水路３０からドラム４内に水が送られるときのシャワーの形状や流量などにより「３３５０ｒｐｍ」に設定している場合であれば、フィルタ乾燥行程での循環ポンプ３２の回転数を「４０００〜６０００ｒｐｍ」に設定する。洗濯乾燥機１に搭載されている循環ポンプ３２は、基本的には水を送り出す特性に特化した製品であり、水を送り出す力と空気を送り出す力とを同じ回転数で比較すると、後者は前者よりも劣る。このような事情から、フィルタ乾燥行程での循環ポンプ３２の回転数を、洗い行程での循環ポンプ３２の回転数よりも高く設定する。
【００２５】
循環ポンプ３２の動作が開始された時点で循環水路３１内に水が溜まっていれば、その循環水路３１内に溜まっていた水はドラム４内に送られ、さらに排出水路１２に送られて機外に排出されるので、これ以降は、循環水路３１内に水が溜まっていない状態で循環ポンプ３２が動作されることになる。
【００２６】
この状態では、図１に矢印Ｂで示したように、循環水路３０内の空気が循環され、ドラム４内の空気が循環される。循環水路３０内の空気が循環されると、フィルタ３１に風が送られることで、その風によりフィルタ本体３７に捕獲されている異物が乾燥される。その結果、これ以降、フィルタ３１を手入れする際に異物が絡まずに取り易くなり、雑菌が繁殖することがなく異臭が発生することもなくなり、ユーザが不快感を抱くことがなくなる。制御装置３９は、循環ポンプ３２の動作を開始させた時点から予め設定した一定時間が経過すると、動作終了指令信号を循環ポンプ３２に出力し、循環ポンプ３２の動作を終了させる。尚、フィルタ乾燥コースにおける循環ポンプ３２の動作時間である一定時間は、ユーザが任意に設定可能な時間でも良いしデフォルトの時間でも良い。
【００２７】
尚、制御装置３９は、循環水路３１内に溜まっていた水が排出された後、すなわち、循環水路３１内に水が溜まっていない状態で循環ポンプ３２が動作されているときには、閉鎖指令信号を排水弁１３に出力し、排水弁１３を閉鎖させても良い。このように構成すれば、ドラム４内に送られた空気が排出水路１２から機外に排出されることなく循環水路３０に送られることになり、より多くの空気を循環させることができる。
【００２８】
また、制御装置３９は、循環ポンプ３２の動作を開始させると同時に、回転開始指令信号をドラムモータ１１に出力し、ドラム４の回転を開始させても良い。制御装置３９は、例えば脱水行程でのドラムモータ１１の回転数を「１２００ｒｐｍ」に設定している場合には、フィルタ乾燥行程でのドラムモータ１１の回転数を「１０００ｒｐｍ」に設定する。フィルタ乾燥行程でのドラムモータ１１の回転数はユーザが振動や音による不快感を抱かない程度の回転数であれば良い。ドラム４が回転されることで、遠心力の発生によりドラム４内で風が流れ易くなり、より多くの空気を循環させることができる。このとき、循環水路３０の流入口３０ａが水槽３の後側下部に設けられており、循環水路３０の流出口３０ｂがドラム４の前側上部、つまり、ドラム４の開口部４ａを臨む位置に設けられているので、ドラム４内で風がより流れ易くなり、より多くの空気を循環させることができる。
【００２９】
また、制御装置３９は、循環ポンプ３２の動作を開始させると同時に、動作開始指令信号をヒートポンプ１９に出力すると共に回転開始指令信号を送風ファン２５に出力し、ヒートポンプ１９および送風ファン２５の動作を開始させても良い。ヒートポンプ１９および送風ファン２５が動作されることで、ドラム４内に温風が送られ、温かい空気を循環させることができる。
【００３０】
また、以上は、洗濯運転コースや乾燥運転コースとは別にフィルタ乾燥コースを設定可能な場合を説明したが、制御装置３９は、洗濯運転コース内の行程の１つとしてフィルタ乾燥コースと同等の動作を実行しても良い。すなわち、制御装置３９は、ユーザが操作パネル６の操作部１０を操作して洗濯運転コースを設定して開始操作を行うと、洗濯運転を開始するが、図３に示すように、例えば洗い行程、第１脱水行程、シャワーすすぎ行程、第２脱水行程、ためすすぎ行程、最終脱水行程を順次実行した後に、フィルタ乾燥コースと同等の動作をフィルタ乾燥行程として実行しても良い。また、洗濯運転コース内でフィルタ乾燥行程を実行するか否かをユーザが任意に設定可能としても良い。洗濯運転コース内でフィルタ乾燥行程を常に実行するようにすれば、フィルタ本体３７に捕獲されている異物を洗濯運転後に常に乾燥させておくことができ、雑菌の繁殖をより確実に抑えることができる。
【００３１】
また、制御装置３９は、ドラム４内や水槽４内における雑菌の発生を抑える槽乾燥コースを実行する際に、フィルタ乾燥コースと同等の動作を実行しても良い。すなわち、制御装置３９は、ユーザが操作パネル６の操作部１０を操作して槽乾燥コースを設定して開始操作を行うと、槽乾燥運転を開始すると同時に、フィルタ乾燥コースと同等の動作を開始しても良い。
【００３２】
第１の実施形態によれば、次のような効果を得ることができる。
制御装置３９は、水槽３内の水を排出した状態で循環ポンプ３２を動作させるようにした。水槽３内の水を排出した状態で循環ポンプ３２を動作させると、循環水路３０内の空気が循環され、フィルタ３１に風が送られることで、その風によりフィルタ本体３７に捕獲されている異物が乾燥される。フィルタ３１に風を送るための専用の送風機を別途設けることなく、既存の循環ポンプ３２を活用してフィルタ３１に風を送る構成を実現したことで、外箱２のコンパクト化を妨げることなく、フィルタ本体３７に捕獲されている異物を適切に乾燥させることができる。その結果、フィルタ３１を手入れする際の作業性を高めることができると共に、雑菌の繁殖を抑えて異臭の発生を抑えることができる。
【００３３】
また、制御装置３９は、フィルタ乾燥行程での循環ポンプ３２の回転数を、洗い行程での循環ポンプ３２の回転数よりも高く設定するようにした。同じ回転数で空気を送り出す力が水を送り出す力よりも劣る特性の循環ポンプ３２であっても、循環ポンプ３２の回転数をフィルタ乾燥行程で高めることで、フィルタ３１に適切な量の風を送ることができ、フィルタ本体３７に捕獲されている異物を適切に乾燥させることができる。
【００３４】
また、制御装置３９は、水槽３内の水を排出した状態で循環ポンプ３２を動作させる際に、ドラム４を回転させるようにした。ドラム４が回転されることで、遠心力の発生によりドラム４内で風が流れ易くなり、より多くの空気を循環させることができ、フィルタ本体３７に捕獲されている異物をより適切に乾燥させることができる。
【００３５】
また、制御装置３９は、水槽３内の水を排出した状態で循環ポンプ３２を動作させる際に、ヒートポンプ１９および送風ファン２５を動作させるようにした。ヒートポンプ１９および送風ファン２５が動作されることで、ドラム４内に温風が送られ、温かい空気が循環水路３０に送られることになり、フィルタ本体３７に捕獲されている異物をより速く乾燥させることができる。
【００３６】
また、洗濯運転コースや乾燥運転コースとは別にフィルタ乾燥コースを設定可能にした。ユーザがフィルタ乾燥コースを任意のタイミングで設定することで、フィルタ本体３７に捕獲されている異物を乾燥させる時期や頻度をユーザが任意に設定することができる。すなわち、例えば異臭の発生が抑えられていれば、フィルタ３１を手入れする直前にフィルタ乾燥コースを設定すれば良い。
【００３７】
また、洗濯運転コース内の行程の１つとしてフィルタ乾燥コースと同等の動作を実行するようにすれば、フィルタ本体３７に捕獲されている異物を洗濯運転後に常に乾燥させておくことができ、雑菌の繁殖をより確実に抑えることができる。また、フィルタ乾燥コースを別途設定する手間を省くことができる。
【００３８】
また、槽乾燥コースを実行する際に、フィルタ乾燥コースと同等の動作を実行するようにすれば、ドラム４や水槽４を乾燥させることができると同時に、フィルタ本体３７に捕獲されている異物をより乾燥させることができ、洗濯乾燥機１の機器全体としての多面的な手入れを行うことができる。
尚、以上は、洗濯機能及び乾燥機能を備える洗濯乾燥機に適用した場合を説明したが、乾燥機能を備えない洗濯機に適用することも可能である。
【００３９】
（第２の実施形態）
第２の実施形態について図４を参照しながら説明する。
洗濯乾燥機４１の外箱２には、水槽４３、ドラム４４および蓋４５が設けられている。水槽４３の下部から左側部にかけて水槽４３内の水をドラム４４内に送る循環水路４６が配置されている。循環水路４６の途中にはフィルタ４７及び循環ポンプ４８が設けられている。フィルタ４７は、循環水路４６の最上位置に設けられており、洗濯運転中に水槽４３内に溜まる水の最高水位（図４にＰで示す水位）よりも高い位置に設けられている。すなわち、第１の実施形態とは異なり、水槽４３内に水が溜められた状態でも、フィルタ４７が水に浸からない。
【００４０】
フィルタ４７は、フィルタケース４９と、フィルタ本体５０とを備え、フィルタ本体５０がフィルタケース４９に対して抜き差しされることで着脱可能となっている。
循環水路４６は、第１水路部５１と、第２水路部５２と、第３水路部５３とを備えている。第１水路部５１は、外箱２内であって水槽４３の左側部で上下方向に延びており、水槽４３の後側下部とフィルタ４７の流入側とを接続して設けられている。第２水路部５２は、外箱２内であって水槽４３の左側部で上下方向に延びており、フィルタ４７の流出側と循環ポンプ４８の流入側とを接続して設けられている。第３水路部５３は、詳しくは図示しないが外箱２内で上下方向に延びており、循環ポンプ４８の流出側とドラム４４の前側上部とを接続して設けられている。
【００４１】
第２の実施形態においては、水槽４３内に水が溜められた状態では循環水路４６内の一部にも水が溜められており、その状態で循環ポンプ３２が動作されると、図４に矢印Ｃで示すように、循環水路４６内の一部に溜まっている水が循環され、水槽４３内の水が循環される。
【００４２】
第２の実施形態によれば、次のような効果を得ることができる。洗濯運転中に水槽４３内に溜まる水の最高水位よりも高い位置にフィルタ４７が設けられている。水槽４３内に水が溜まっている状態でもフィルタ４７が水に浸からない状態を保つことができ、第１の実施形態で説明したような循環水路４６内の空気を循環させなくても、フィルタ本体５０に捕獲されている異物を自然乾燥させることができる。
【００４３】
以上、本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４４】
図面中、１，４１は洗濯乾燥機（洗濯機）、２，４２は外箱（本体）、３，４３は水槽、４，４５はドラム（回転槽）、４ａは開口部、１２は排出水路、１９はヒートポンプ（加熱器）、２５は送風ファン、３０，４６は循環水路、３０ａは流入口、３０ｂは流出口、３１，４７はフィルタ、３２，４８は循環ポンプ、３９は制御装置（制御手段）を示す。
【図１】
2019134883.tif 000003
【図２】
2019134883.tif 000004
【図３】
2019134883.tif 000005
【図４】
2019134883.tif 000006